(57)【要約】【課題】パネルを取り付ける部品点数を減らすとともにその構造を簡単にし、パネルの取付施工状態における安全性の向上を図る。【解決手段】室内壁Ｗの壁面Ｗ１に取付施工される機能パネルＰは、ベース部材１０とフレーム本体２０とを備える。ベース部材１０は、壁面Ｗ１に取り付けられる基部１１と、基部１１の上部に一体に設けられ、基部１１の壁面Ｗ１への取付状態で壁面Ｗ１から離れる方向に斜め上向きに突出する係止部１２とを有する。フレーム本体２０は、機能パネル部３０と、機能パネル部３０の四周に機能パネル部３０を保持するように設けられ、少なくとも上枠部の裏面に係止部１２に係合可能な係合凹部４４が開口するフレーム４０とを有する。この係合凹部４４に係止部１２が係合されることで、ベース部材１０によりフレーム本体２０が壁面Ｗ１に取り付けられるように構成されている。【選択図】図２
2020051240.tif 000002
【特許請求の範囲】
【請求項１】
建物の壁部に取付施工される機能パネルであって、
上記壁部に取り付けられる基部と、該基部の上部に一体に設けられ、該基部の該壁部への取付状態で該壁部から離れる方向に斜め上向きに突出する係止部とを有するベース部材と、
機能パネル部と、該機能パネル部の四周に該機能パネル部を保持するように設けられ、少なくとも上枠部の裏面に上記ベース部材の係止部に係合可能な係合凹部が開口するフレームとを有するフレーム本体と、を備え、
上記フレームの係合凹部に上記ベース部材の係止部が係合されることで、該ベース部材により上記フレーム本体が上記壁部に取り付けられるように構成されていることを特徴とする機能パネル。
【請求項２】
請求項１において、
上記ベース部材の係止部は、突出方向の中間部で下側に膨らむように円弧状に湾曲しており、
上記フレームの係合凹部は、上記係止部の形状に対応して円弧状に湾曲していることを特徴とする機能パネル。
【請求項３】
請求項１又は２において、
上記フレームは、直線状に延びる４本の分割フレームが矩形枠状に連結されたものであり、
上記分割フレームの長さ方向の両端部には、嵌合凹部が形成され、
上記分割フレームの嵌合凹部に嵌合可能な１対の嵌合部を有する連結部材が設けられ、
相隣接する上記分割フレームは、該分割フレームの両端部が当接し、かつ上記嵌合凹部に上記連結部材の１対の嵌合部がそれぞれ嵌合されることで、互いに直交するように連結されていることを特徴とする機能パネル。
【請求項４】
請求項３において、
上記分割フレームは押出し成形材からなり、
上記フレームの裏面全体に上記係合凹部が形成されていることを特徴とする機能パネル。
【請求項５】
請求項１〜４のいずれか１つにおいて、
上記ベース部材は建物の壁部に、予め壁部に取り付けられているハンガーフックにより取付施工され、
上記ハンガーフックは、上記壁部の取付穴に基端部が該壁部の表面に露出した状態で挿入されて取付固定され、かつ基端面に有底状のインサート係合穴部が設けられたインサート部材と、
先端側に上記インサート部材のインサート係合穴部と係合可能なフック係合部が設けられている一方、基端側にフック部が設けられ、該フック係合部の該インサート係合穴部との係合によって該インサート部材に一体的に取付可能なフック部材とを備え、
上記ベース部材の基部は、上記インサート部材と上記フック部材との間に挟み込まれて取付固定されていることを特徴とする機能パネル。
【請求項６】
請求項１〜５のいずれか１つにおいて、
上記機能パネル部は、有孔ボードであることを特徴とする機能パネル。
【請求項７】
請求項１〜５のいずれか１つにおいて、
上記機能パネル部は、ホワイトボードであることを特徴とする機能パネル。
【請求項８】
請求項１〜５のいずれか１つにおいて、
上記機能パネル部は、その表面がファブリック部材で被覆されたボードであることを特徴とする機能パネル。
【請求項９】
請求項１〜８のいずれか１つに記載の機能パネルが建物の壁部に取り付けられていることを特徴とする機能パネルの壁部取付構造。
【発明の詳細な説明】
【技術分野】
【０００１】
本発明は、機能パネル及びその壁部取付構造に関する。
【背景技術】
【０００２】
建物の壁面を活用する技術として、例えば特許文献１には、パネルを壁面に近接して固着するために使用するパネルの壁掛け金具が開示されている。このパネルの壁掛け金具は、壁面に対して差しピンと取付ビスとの両方又は一方により固着される掛止金具と、パネルの裏面に固着して取り付けられる被着金具とからなり、パネルが取り付けられた被着金具を掛止金具で掛け止めるようにしている。
【先行技術文献】
【特許文献】
【０００３】
【特許文献１】特開２０１５−２５８８２号公報
【発明の概要】
【発明が解決しようとする課題】
【０００４】
しかし、特許文献１のパネルの壁掛け金具では、掛止金具及び被着金具が必要であるため、部品点数が多く、また両金具の構造が複雑である。さらに、壁面と掛止金具の間隙溝に、パネルを取り付けた被着金具を上側から下側に向かって差し入れる構造であるため、パネルが意図せずに下側から上側に突き上げられたときに脱落するおそれがある。
【０００５】
本発明は、上記課題を一挙に解決すべくなされたものであり、その目的とするところは、パネルの取付構造に工夫を加えることにより、パネルを取り付ける部品点数を減らすとともにその構造を簡単にし、パネルの取付施工状態における安全性の向上を図ることにある。
【課題を解決するための手段】
【０００６】
上記の目的を達成するために、本発明では、パネルを取り付ける部品としてのベース部材の構造に着目し、このベース部材によりフレーム本体が取り付けられるようにした。
【０００７】
具体的には、第１の発明は、建物の壁部に取付施工される機能パネルであって、上記壁部に取り付けられる基部と、該基部の上部に一体に設けられ、該基部の該壁部への取付状態で該壁部から離れる方向に斜め上向きに突出する係止部とを有するベース部材と、機能パネル部と、該機能パネル部の四周に該機能パネル部を保持するように設けられ、少なくとも上枠部の裏面に上記ベース部材の係止部に係合可能な係合凹部が開口するフレームとを有するフレーム本体と、を備える。
【０００８】
そして、上記フレームの係合凹部に上記ベース部材の係止部が係合されることで、該ベース部材により上記フレーム本体が上記壁部に取り付けられるように構成されていることを特徴とする。
【０００９】
第１の発明では、フレーム本体（以下単に「パネル」ともいう）がベース部材により壁部に取り付けられるように構成されているため、パネルを取り付ける部品がベース部材だけである。また、ベース部材は、壁部に取り付けられる基部と、基部の上部に一体に設けられ、フレームの係合凹部に係合される係止部とを有するだけであるため、ベース部材の構造が簡単である。さらに、ベース部材の係止部は、その取付状態で壁部から離れる方向に斜め上向きに突出するため、フレーム本体は、上下動に前後動が複合した動きがあるときにしか着脱せず、意図しない下側から上側への突き上げがあったときに脱落し難い。以上により、パネルを取り付ける部品点数を減らすとともにその構造を簡単にし、パネルの取付施工状態における安全性の向上を図ることができる。
【００１０】
第２の発明は、第１の発明において、上記ベース部材の係止部は、突出方向の中間部で下側に膨らむように円弧状に湾曲しており、上記フレームの係合凹部は、上記係止部の形状に対応して円弧状に湾曲していることを特徴とする。
【００１１】
第２の発明では、フレーム本体がベース部材の係止部がフレームの係合凹部内を摺動したときにしか着脱しないため、パネルの取付施工状態における安全性の向上をより一層図ることができる。
【００１２】
第３の発明は、第１又は２の発明において、上記フレームは、直線状に延びる４本の分割フレームが矩形枠状に連結されたものであり、上記分割フレームの長さ方向の両端部には、嵌合凹部が形成され、上記分割フレームの嵌合凹部に嵌合可能な１対の嵌合部を有する連結部材が設けられ、相隣接する上記分割フレームは、該分割フレームの両端部が当接し、かつ上記嵌合凹部に上記連結部材の１対の嵌合部がそれぞれ嵌合されることで、互いに直交するように連結されていることを特徴とする。
【００１３】
第３の発明では、フレームを、４本の分割フレームが連結部材を介して矩形枠状に連結されているため、１対の分割フレームの組み合わせを変更することにより、フレームを所望の大きさにすることができる。
【００１４】
第４の発明は、第３の発明において、上記分割フレームは押出し成形材からなり、上記フレームの裏面全体に上記係合凹部が形成されていることを特徴とする。
【００１５】
第４の発明では、分割フレームの生産性向上及びコスト削減を図ることができる。
【００１６】
第５の発明は、第１〜４の発明のいずれか１つにおいて、上記ベース部材は建物の壁部に、予め壁部に取り付けられているハンガーフックにより取付施工され、上記ハンガーフックは、上記壁部の取付穴に基端部が該壁部の表面に露出した状態で挿入されて取付固定され、かつ基端面に有底状のインサート係合穴部が設けられたインサート部材と、先端側に上記インサート部材のインサート係合穴部と係合可能なフック係合部が設けられている一方、基端側にフック部が設けられ、該フック係合部の該インサート係合穴部との係合によって該インサート部材に一体的に取付可能なフック部材とを備える。
【００１７】
そして、上記ベース部材の基部は、上記インサート部材と上記フック部材との間に挟み込まれて取付固定されていることを特徴とする。
【００１８】
第５の発明では、予め建物の壁部に、本件出願人が先に出願した特願２０１７−２５４５０８号に開示されているハンガーフックが取り付けられている。このハンガーフックによりベース部材が、その基部においてインサート部材とフック部材との間に挟み込まれて取付固定されているため、機能パネル（即ちベース部材及びフレーム本体）を外した後に、予め壁面に埋め込まれているインサート部材にフック部材を着脱することで、建物の美観を損なうことなく保持できる。
【００１９】
第６の発明は、第１〜５の発明のいずれか１つにおいて、上記機能パネル部は、有孔ボードであることを特徴とする。
【００２０】
第７の発明は、第１〜５の発明のいずれか１つにおいて、上記機能パネル部は、ホワイトボードであることを特徴とする。
【００２１】
第８の発明は、第１〜５の発明のいずれか１つにおいて、上記機能パネル部は、その表面がファブリック部材で被覆されたボードであることを特徴とする。
【００２２】
第６乃至第８の発明では、機能パネル部が具体化される。
【００２３】
第９の発明は、機能パネルの壁部取付構造に係り、第１〜８のいずれか１つに記載の機能パネルが建物の壁部に取り付けられていることを特徴とする。
【００２４】
第９の発明では、第１乃至８の発明の作用効果を奏する壁部取付構造を得ることができる。
【発明の効果】
【００２５】
以上に説明したように、本発明によれば、パネルを取り付ける部品点数を減らすとともにその構造を簡単にし、パネルの取付施工状態における安全性の向上を図ることができる。
【図面の簡単な説明】
【００２６】
【図１】図１は、本発明の実施形態１に係る機能パネルの壁部取付構造を示す正面図である。
【図２】図２は、図１のII−II線断面図である。
【図３】図３は、ベース部材の正面図である。
【図４】図４は、ベース部材の側面図である。
【図５】図５は、フレーム本体の正面図である。
【図６】図６は、フレーム本体の裏面図である。
【図７】図７は、分割フレームの正面図である。
【図８】図８は、分割フレームの側面図である。
【図９】図９は、連結部材の斜視図である。
【図１０】図１０は、本発明の実施形態２に係る機能パネルのベース部材の正面図であり、図３相当図である。
【発明を実施するための形態】
【００２７】
以下、本発明を実施するための形態を図面に基づいて説明する。以下の好ましい実施形態の説明は、本質的に例示に過ぎず、本発明、その適用物或いはその用途を制限することを意図するものではない。
【００２８】
＜実施形態１＞
（機能パネル及びその壁部取付構造）
図１及び図２は、機能パネルＰの壁部取付構造を示す。図１及び図２において、Ｗは建物の室内壁であり、室内壁Ｗの壁面Ｗ１（壁部）の上部に、予めハンガーフックＨが取り付けられている。このハンガーフックＨにより、機能パネルＰが壁面Ｗ１に取付施工される。具体的には、機能パネルＰは、ハンガーフックＨで取付施工された後述するベース部材１０により、壁面Ｗ１に取付施工される。
【００２９】
図２に示すように、予め建物の室内壁Ｗの壁面Ｗ１に取り付けられているハンガーフックＨは、特願２０１７−２５４５０８号に開示されたハンガーフックと同様のものであり、インサート部材Ｉと、フック部材Ｆと、を備えている。
【００３０】
インサート部材Ｉは、先端側（図２の後側）に形成され、予め室内壁Ｗに穿設された取付穴Ｗ２に対して螺合により取付固定するための雄ネジ１と、基端側（図２の前側）に形成され、フック部材Ｆと係合可能なネジ穴２（インサート係合穴部）と、を有する。インサート部材Ｉは、その基端面３（基端部）が室内壁Ｗの壁面Ｗ１に露出した状態で挿入されて取付固定されている。
【００３１】
なお、室内壁Ｗにおける取付穴Ｗ２を穿設する位置には、その内側に柱等の頑丈な部材が配置されていることが必要であり、インサート部材Ｉは、頑丈な部材にまで到達するように挿入される。これにより、ハンガーフックＨは、頑丈な柱等に強固に支持された状態で室内壁Ｗに取付固定される。
【００３２】
フック部材Ｆは、先端側に形成され、インサート部材Ｉのネジ穴２と螺合締結により係合可能なネジ部４（フック係合部）と、基端側にネジ部４に一体的に形成されたフック部５と、を有する。このフック部材Ｆは、ネジ部４のインサート部材Ｉのネジ穴２との係合によってインサート部材Ｉに一体的に取付可能になっている。
【００３３】
フック部５は、ネジ部４との接続部分において径方向に拡がったフランジ部６を有している。フランジ部６は、インサート部材Ｉの基端面３及びベース部材１０の後述するフック孔１３の孔径よりも大きな径で形成されている。
【００３４】
以上のようにして、インサート部材Ｉのネジ穴２にフック部材Ｆのネジ部４が係合したときに、フック部材Ｆとインサート部材Ｉとが一体になり、ハンガーフックＨが構成される。
【００３５】
機能パネルＰは、パネルを取り付ける部品としてのベース部材１０と、フレーム本体２０（パネル）とを備える。図１及び図２に示すように、機能パネルＰは、ベース部材１０によりフレーム本体２０が室内壁Ｗの壁面Ｗ１に取り付けられるように構成されている。
【００３６】
ベース部材１０は、壁面Ｗ１に取付施工されるものであり、具体的には、壁面Ｗ１にハンガーフックＨにより取付施工される。このベース部材１０は、略矩形板状の基部１１と、この基部１１の上部に一体に設けられた係止部１２と、を有する。ベース部材１０の材質としては、例えば金属材料、樹脂材料等が挙げられる。
【００３７】
ベース部材１０の基部１１は、壁面Ｗ１に取り付けられる部分であり、基部１１の裏面が壁面Ｗ１に接触した状態で、ハンガーフックＨにより壁面Ｗ１に取付固定される。そのため、図３に示すように、正面視で基部１１の略中間部には、フック部材Ｆのネジ部４が挿通可能かつフック部材Ｆのフランジ部６の外径よりも小さいフック孔１３が形成されている。このフック孔１３に挿通されたフック部材Ｆのネジ部４が、予め室内壁Ｗの取付穴Ｗ２に取付固定されているインサート部材Ｉのネジ穴２と螺合締結することにより、ベース部材１０が基部１１において壁面Ｗ１にハンガーフックＨにより取付固定される。換言すると、ベース部材１０は、基部１１において、インサート部材Ｉとフック部材Ｆとの間に挟み込まれて取付固定される。このとき、基部１１のフック孔１３の外周縁部とフック部材Ｆのフランジ部６とが当接することで、ベース部材１０の壁面Ｗ１への取付固定が確実になる。
【００３８】
なお、基部１１の大きさは、フレーム本体２０の大きさ、重量等に応じて決定すればよいが、例えば、長さ方向（図３では上下方向）の寸法が３５〜５５ｍｍ、幅方向（図３では左右水平方向）の寸法が１０〜３０ｍｍ、厚さが１〜５ｍｍである。また、フック孔１３の孔径は、フック部材Ｆのネジ部４のネジ径よりも大きく、かつフランジ部６の外径よりも小さくなるように決定すればよく、例えばφ５〜１５ｍｍである。
【００３９】
ベース部材１０の係止部１２は、後述するフレーム４０の係合凹部４４に係合可能な部分である。図２及び図４に示すように、係止部１２は、ベース部材１０の基部１１の壁面Ｗ１への取付状態（即ちベース部材１０の取付状態）で壁面Ｗ１から離れる方向（図２では前方）に斜め上向きに突出し、その突出方向の中間部で下側に膨らむように円弧状に湾曲している。換言すると、係止部１２は、壁面Ｗ１から離れるに連れて上向きに変化するように円弧状に湾曲している。このように、係止部１２は、ベース部材１０の取付状態で、基部１１の上部（上端部）から前方に突出して壁面Ｗ１側に曲率中心を持つように、側面視で下方に向かって凸の円弧部１４が形成されている。この円弧部１４の先端部１５は、基部１１の上端部よりも上方に位置している。また、先端部１５は、フレーム４０の係合凹部４４への係合を容易にするべく、断面Ｒ状に設けられている。
【００４０】
なお、係止部１２の大きさは、フレーム本体２０の大きさ、重量等に応じて決定すればよいが、例えば、突出長さが５〜１５ｍｍであり、厚さが２〜５ｍｍ、円弧部１４の曲率半径が５〜２０ｍｍである。
【００４１】
フレーム本体２０は、図５及び図６に示すように、機能パネル部３０と、その四周に枠組みされたフレーム４０と、を有する。
【００４２】
フレーム本体２０の機能パネル部３０は、例えば、有孔ボード、ホワイトボード、その表面がファブリック部材で被覆されたボード等で構成され、その四周がフレーム４０で保持される。機能パネル部３０の寸法としては、例えば、一辺の寸法が６００〜１０００ｍｍ、他辺の寸法が６００〜２０００ｍｍ、厚さが１〜１０ｍｍである。
【００４３】
フレーム本体２０のフレーム４０は、図１に示すように、直線状に延びる４本の分割フレーム４１が、連結部材５０を介して矩形枠状に連結されたものである。なお、分割フレーム４１（フレーム４０）は、押出し成形材からなる。連結部材５０は、射出成型材からなる。
【００４４】
分割フレーム４１は、図２及び図８に示すように、パネル保持部４２と、嵌合凹部４３と、係合凹部４４と、を有する。
【００４５】
パネル保持部４２は、機能パネル部３０を四周で保持するように、分割フレーム４１の長さ方向に沿ってパネル表面側（図２の前側）に設けられている。
【００４６】
嵌合凹部４３は、図７に示すように、分割フレーム４１の長さ方向の両端面が傾斜面４６に設けられ、その両端部に形成されている。具体的には、分割フレーム４１の前面（機能パネル部３０の取付面）には長さ方向に沿って開口する溝が形成され、この溝の長さ方向両端部が嵌合凹部４３になっている。なお、分割フレーム４１の内部に空洞が設けられ、その空洞の長さ方向両端部が嵌合凹部４３になっていてもよい。
【００４７】
図１及び９に示すように、この嵌合凹部４３に嵌合可能な１対の嵌合部５１が直角に連続するように、連結部材５０が平面視で略く字状に設けられている。これにより、相隣接する分割フレーム４１，４１は、その両端部が当接し、かつ嵌合凹部４３，４３に連結部材５０の１対の嵌合部５１，５１がそれぞれ嵌合されて、互いに直交するように連結されることで、四周枠組みされたフレーム４０が構成される。
【００４８】
このフレーム４０の四隅、即ち相隣接する分割フレーム４１，４１の連結部分は、連結部材５０の嵌合部５１，５１を介して螺合固定される。具体的には、図６及び図７に示すように、分割フレーム４１の長さ方向の両端部の裏面には、ビス孔４５，４５がそれぞれ形成されている。一方、図１及び９に示すように、連結部材５０の嵌合部５１，５１には、相隣接する分割フレーム４１，４１が連結部材５０を介して連結された状態（以下「分割フレーム４１の連結状態」で、分割フレーム４１の各ビス孔４５，４５に対応する位置に、ビス穴５２，５２がそれぞれ形成されている。これにより、分割フレーム４１の連結状態において、分割フレーム４１のビス孔４５，４５に挿通されたビス（図示省略）が嵌合部５１，５１（連結部材５０）のビス穴５２，５２とそれぞれ螺合締結されることにより、相隣接する分割フレーム４１が互いに連結固定される。
【００４９】
なお、分割フレーム４１のビス孔４５の孔径及び連結部材５０のビス穴５２の穴径は、使用するビスの種類に応じて決定すればよいが、例えばφ３〜５である。使用するビスは、例えばＭ３〜Ｍ５である。
【００５０】
係合凹部４４は、フレーム４０（分割フレーム４１）の裏面全体に設けられ、ベース部材１０の係止部１２に係合可能に開口する。図２及び図８に示すように、この係合凹部４４は、係止部１２の形状に対応して円弧状に湾曲している。具体的には、係合凹部４４は、開口から奥側（図２で前側）に向かって上向きに変化するように係止部１２の形状に対応して円弧状に湾曲している。これにより、係合凹部４４に係止部１２が係合されることにより、フレーム本体２０がベース部材１０により壁面Ｗ１に取り付けられるように構成されている。
【００５１】
なお、図１及び図７に示すように、分割フレーム４１の長さ方向の外側端部は、傾斜面４６の一部が分断されてその長さ方向に直交する直交面４７に設けられている。一方、図１及び図９に示すように、連結部材５０の嵌合部５１，５１が直角に連続する直角部には、分割フレーム４１の連結状態において、相隣接する直交面４７にそれぞれ対応するように平面視で扇形状に形成され、かつ分割フレーム４１の厚さと同等の長さになるようにその厚さ方向両端に向かって突出する突出部５３が形成されている。このことで、分割フレーム４１が四周枠組みされたフレーム４０の四隅はＲ状になっている。
【００５２】
分割フレーム４１の形状、寸法は、保持する機能パネル部３０の形状、寸法等に応じて決定すればよい。また、連結部材５０の形状、寸法は、分割フレーム４１の形状、寸法等に応じて決定すればよい。
【００５３】
（機能パネルの壁部取付作業手順）
次に、図１及び図２を参照しながら、予め室内壁Ｗの壁面Ｗ１に取り付けられているハンガーフックＨにより機能パネルＰを壁面Ｗ１に取り付ける作業手順を以下に説明する。
【００５４】
まず、準備作業として、フレーム本体２０を組み付ける。具体的には、相隣接する分割フレーム４１を、連結部材５０を介して螺合により連結固定させてフレーム４０を構成するとともに、このフレーム４０に例えば有孔ボード（機能パネル部３０）を保持させる。
【００５５】
次いで、ハンガーフックＨのフック部材Ｆをインサート部材Ｉから取り外し、フック部材Ｆをベース部材１０のフック孔１３に挿通させてインサート部材Ｉのネジ穴２に螺合締結する。これにより、ベース部材１０が、その基部１１においてインサート部材Ｉとフック部材Ｆとの間に挟み込まれて壁面Ｗ１に取付固定される。なお、このベース部材１０の壁面Ｗ１への取付固定の作業は、上記準備作業の前に行なってもよい。
【００５６】
最後に、フレーム本体２０をベース部材１０に取り付ける。具体的には、フレーム本体２０の下部が壁面Ｗ１に対して離れるようにフレーム本体２０を少し傾けた状態で、その裏面にある係合凹部４４を、ベース部材１０の係止部１２における先端部１５に引っ掛ける。該引っ掛け状態で、フレーム本体２０の下部を壁面Ｗ１に徐々に近付けていく。これにより、先端部１５が、係合凹部４４の表面を摺動して係合凹部４４の奥に入り込み、係合凹部４４に係止部１２が係合される。
【００５７】
以上により、ハンガーフックＨで取付施工されたベース部材１０によりフレーム本体２０を取り付けることで、機能パネルＰを壁面Ｗ１に取付施工することができる。なお、フレーム本体２０の大きさ、重量等に応じて、複数のベース部材１０によりフレーム本体２０を取り付けることもできる。また、機能パネルＰを取り外すときは、上記とは逆の作業手順で行なえばよい。
【００５８】
（効果）
以上のように構成される機能パネルＰは、フレーム本体２０（パネル）がベース部材１０により室内壁Ｗの壁面Ｗ１に取り付けられるように構成されているため、パネルを取り付ける部品がベース部材１０だけである。また、ベース部材１０は、基部１１と、基部１１の上部に一体に設けられた係止部１２とを有するだけであるため、その構造が簡単である。さらに、係止部１２は、その取付状態で壁面Ｗ１から離れる方向に斜め上向きに突出し、その突出方向の中間部で下側に膨らむように円弧状に湾曲しているため、フレーム本体２０は、上下動に前後動が複合した動きがあり、かつ係止部１２がフレーム４０の係合凹部４４内を摺動したときにしか着脱せず、意図しない下側から上側への突き上げがあったときに脱落し難い。以上により、パネルを取り付ける部品点数を減らすとともにその構造を簡単にし、パネルの取付施工状態における安全性の向上を図ることができる。
【００５９】
フレーム４０を、４本の分割フレーム４１が連結部材５０を介して矩形枠状に連結されているため、１対の分割フレーム４１，４１の組み合わせを変更することにより、フレーム４０を所望の大きさにすることができる。また、分割フレーム４１は、押出し成形材からなるため、分割フレーム４１の生産性向上及びコスト削減を図ることができる。
【００６０】
ハンガーフックＨにより、ベース部材１０がその基部１１においてインサート部材Ｉとフック部材Ｆとの間に挟み込まれて取付固定されているため、機能パネルＰ（即ちベース部材１０及びフレーム本体２０）を外した後に、予め壁面Ｗ１に埋め込まれているインサート部材Ｉにフック部材Ｆを着脱することで、建物の美観を損なうことなく保持できる。
【００６１】
＜実施形態２＞
図１０は、本発明の実施形態２を示す。本実施形態では、ベース部材１０の構造が異なっているが、その他の点については、実施形態１と同様の構成である。そこで、以下の説明では、実施形態１の構成要素と同様の構成要素については、同じ符号を付し、重複説明を省略する場合がある。
【００６２】
本実施形態では、ベース部材１０は、予め室内壁Ｗの壁面Ｗ１に取り付けられているハンガーフックＨの位置やフレーム４０（係合凹部４４）の長さ方向の寸法等に応じて、左右水平方向に延びる横長の細長い形状に設けられている。また、ベース部材１０の基部１１には、該ハンガーフックＨの位置に応じて、２つのフック孔１３，１３が互いに間隔をあけて形成されている。また、各フック孔１３は、ベース部材１０（基部１１）の長さ方向（図１０では左右水平方向）に延びる長孔になっている。ベース部材１０の他の構成は、実施形態１と同様である。
【００６３】
なお、基部１１の大きさは、フレーム本体２０の大きさ、重量等に応じて決定すればよいが、例えば、長さ方向（図１０では左右水平方向）の寸法が３００〜６００ｍｍ、幅方向（図１０では上下方向）の寸法が３０〜１００ｍｍ、厚さが１〜５ｍｍである。また、各フック孔１３の大きさは、例えば、長さ方向の寸法が４０〜６０ｍｍ、幅方向の寸法が５〜１５ｍｍである。
【００６４】
従って、本実施形態によれば、実施形態１と同様の効果が得られる。また、本実施形態によれば、ハンガーフックＨの位置に応じて、２つのフック孔１３，１３がベース部材１０の基部１１に形成されているため、２つのハンガーフックＨにより機能パネルＰを壁面Ｗ１に取付施工する場合に、１つのベース部材１０によりフレーム本体２０を取り付けることができ、パネルを取り付ける部品点数をより一層減らすことができる。
【００６５】
なお、フック孔１３の数は、ベース部材１０（基部１１）の長さ方向の寸法（ハンガーフックＨの位置）やフレーム本体２０の大きさ、重量等に応じて決定すればよい。また、各フック孔１３は、ベース部材１０の幅方向に延びる長孔であってもよく、上記実施形態１と同様の円孔であってもよい。
【００６６】
＜その他の実施形態＞
上記各実施形態では、ベース部材１０の係止部１２は、その突出方向の中間部で下側に膨らむように円弧状に湾曲しているが、これに限定されず、直線状に斜め上向きに突出していてもよい。この場合であっても、フレーム本体２０は、上下動に前後動が複合した動きがあるときにしか着脱せず、意図しない下側から上側への突き上げがあったときに脱落し難い。但し、パネルの取付施工状態における安全性の向上を図る観点から、係止部１２は、その突出方向の中間部で下側に膨らむように円弧状に湾曲していることが好ましい。
【００６７】
上記各実施形態では、フレーム４０の係合凹部４４は、フレーム４０の裏面全体に設けられているが、これに限定されず、少なくともフレーム４０の上枠部の裏面に設けられていればよい。
【００６８】
上記各実施形態では、分割フレーム４１はその長さ方向の両端面が傾斜面４６に設けられるとともに、連結部材５０は平面視で略く字状に設けられているが、これに限定されない。例えば、分割フレームは略矩形状であり、その長さ方向両端部に、一方は長さ方向に開口するが、他方は幅方向に開口する嵌合凹部がそれぞれ設けられるとともに、連結部材は略矩形状であり、その長さ方向両端部に該嵌合凹部に嵌合可能な１対の嵌合部が設けられていてもよい。
【００６９】
上記各実施形態では、フレーム４０は、直線状に延びる４本の分割フレーム４１が矩形枠状に連結されたものであるが、これに限定されず、矩形枠状に連続する１つのフレームであってもよい。また、フレーム４０は、略円形枠状であってもよい。
【００７０】
上記各実施形態において、フック部材Ｆの代わりに、インサート部材Ｉのネジ穴２に螺合締結により係合可能な通常のボルト（例えばＭ８）をベース部材１０のフック孔１３に挿通させてインサート部材Ｉのネジ穴２に螺合締結することにより、ベース部材１０を壁面Ｗ１に取付施工することもできる。
【産業上の利用可能性】
【００７１】
本発明は、パネルを取り付ける部品点数を減らすとともにその構造を簡単にし、その取付施工状態における安全性の向上を図ることができるため、産業上の利用可能性が高い。
【符号の説明】
【００７２】
Ｗ        室内壁
Ｗ１      壁面
Ｗ２      取付穴
Ｈ        ハンガーフック
Ｉ        インサート部材
Ｆ        フック部材
Ｐ        機能パネル
Ｒ        手摺り
２        ネジ穴（インサート係合穴部）
３        基端面（基端部）
４        ネジ部（フック係合部）
５        フック部
１０      ベース部材 
１１      基部 
１２      係止部 
２０      フレーム本体 
３０      機能パネル部 
４０      フレーム 
４１      分割フレーム 
４２      パネル保持部 
４３      嵌合凹部
４４      係合凹部 
４５      ビス孔 
４６      傾斜面 
５０      連結部材 
５１      嵌合部 
５２      ビス穴 
【図１】
2020051240.tif 000003
【図２】
2020051240.tif 000004
【図３】
2020051240.tif 000005
【図４】
2020051240.tif 000006
【図５】
2020051240.tif 000007
【図６】
2020051240.tif 000008
【図７】
2020051240.tif 000009
【図８】
2020051240.tif 000010
【図９】
2020051240.tif 000011
【図１０】
2020051240.tif 000012
【手続補正書】
【提出日】令和1年8月1日(2019.8.1)
【手続補正１】
【補正対象書類名】明細書
【補正対象項目名】全文
【補正方法】変更
【補正の内容】
【発明の詳細な説明】
【技術分野】
【０００１】
本発明は、機能パネル及びその壁部取付構造に関する。
【背景技術】
【０００２】
建物の壁面を活用する技術として、例えば特許文献１には、パネルを壁面に近接して固着するために使用するパネルの壁掛け金具が開示されている。このパネルの壁掛け金具は、壁面に対して差しピンと取付ビスとの両方又は一方により固着される掛止金具と、パネルの裏面に固着して取り付けられる被着金具とからなり、パネルが取り付けられた被着金具を掛止金具で掛け止めるようにしている。
【先行技術文献】
【特許文献】
【０００３】
【特許文献１】特開２０１５−２５８８２号公報
【発明の概要】
【発明が解決しようとする課題】
【０００４】
しかし、特許文献１のパネルの壁掛け金具では、掛止金具及び被着金具が必要であるため、部品点数が多く、また両金具の構造が複雑である。さらに、壁面と掛止金具の間隙溝に、パネルを取り付けた被着金具を上側から下側に向かって差し入れる構造であるため、パネルが意図せずに下側から上側に突き上げられたときに脱落するおそれがある。
【０００５】
本発明は、上記課題を一挙に解決すべくなされたものであり、その目的とするところは、パネルの取付構造に工夫を加えることにより、パネルを取り付ける部品点数を減らすとともにその構造を簡単にし、パネルの取付施工状態における安全性の向上を図ることにある。
【課題を解決するための手段】
【０００６】
上記の目的を達成するために、本発明では、パネルを取り付ける部品としてのベース部材の構造に着目し、このベース部材によりフレーム本体が取り付けられるようにした。
【０００７】
具体的には、第１の発明は、建物の壁部に、予め該壁部に取り付けられているハンガーフックにより取付施工される機能パネルである。上記ハンガーフックは、上記壁部の取付穴に基端部が該壁部の表面に露出した状態で挿入されて取付固定され、かつ基端面に有底状のインサート係合穴部が設けられたインサート部材と、先端側に上記インサート部材のインサート係合穴部と係合可能なフック係合部が設けられている一方、基端側にフック部が設けられ、該フック係合部の該インサート係合穴部との係合によって該インサート部材に一体的に取付可能なフック部材とを備える。
【０００８】
上記機能パネルは、上記壁部に取り付けられる基部と、該基部の上部に一体に設けられ、該基部の該壁部への取付状態で該壁部から離れる方向に斜め上向きに突出する係止部とを有するベース部材と、機能パネル部と、該機能パネル部の四周に該機能パネル部を保持するように設けられ、少なくとも上枠部の裏面に上記ベース部材の係止部に係合可能な係合凹部が開口するフレームとを有するフレーム本体と、を備える。
【０００９】
上記ベース部材の基部は、上記インサート部材と上記フック部材との間に挟み込まれて取付固定されている。
【００１０】
そして、上記フレームの係合凹部に上記ベース部材の係止部が係合されることで、該ベース部材により上記フレーム本体が上記壁部に取り付けられるように構成されていることを特徴とする。
【００１１】
第１の発明では、フレーム本体（以下単に「パネル」ともいう）がベース部材により壁部に取り付けられるように構成されているため、パネルを取り付ける部品がベース部材だけである。また、ベース部材は、壁部に取り付けられる基部と、基部の上部に一体に設けられ、フレームの係合凹部に係合される係止部とを有するだけであるため、ベース部材の構造が簡単である。さらに、ベース部材の係止部は、その取付状態で壁部から離れる方向に斜め上向きに突出するため、フレーム本体は、上下動に前後動が複合した動きがあるときにしか着脱せず、意図しない下側から上側への突き上げがあったときに脱落し難い。以上により、パネルを取り付ける部品点数を減らすとともにその構造を簡単にし、パネルの取付施工状態における安全性の向上を図ることができる。
【００１２】
また、第１の発明では、予め建物の壁部に、本件出願人が先に出願した特願２０１７−２５４５０８号に開示されているハンガーフックが取り付けられている。このハンガーフックによりベース部材が、その基部においてインサート部材とフック部材との間に挟み込まれて取付固定されているため、機能パネル（即ちベース部材及びフレーム本体）を外した後に、予め壁面に埋め込まれているインサート部材にフック部材を着脱することで、建物の美観を損なうことなく保持できる。
【００１３】
第２の発明は、建物の壁部に取付施工される機能パネルであって、上記壁部に取り付けられる基部と、該基部の上部に一体に設けられ、該基部の該壁部への取付状態で該壁部から離れる方向に斜め上向きに突出し、且つ突出方向の中間部で下側に膨らむように円弧状に湾曲する係止部とを有するベース部材と、機能パネル部と、該機能パネル部の四周に該機能パネル部を保持するように設けられ、少なくとも上枠部の裏面に上記ベース部材の係止部の形状に対応して円弧状に湾曲し、該係止部に係合可能な係合凹部が開口するフレームとを有するフレーム本体と、を備える。
【００１４】
そして、上記フレームの係合凹部に上記ベース部材の係止部が係合されることで、該ベース部材により上記フレーム本体が上記壁部に取り付けられるように構成されていることを特徴とする。
【００１５】
第２の発明では、第１の発明と同様に、パネルを取り付ける部品がベース部材だけであり、その構造が簡単である。また、ベース部材の係止部は、その取付状態で壁部から離れる方向に斜め上向きに突出し、且つ突出方向の中間部で下側に膨らむように円弧状に湾曲している。この係止部の形状に対応して、フレームの係合凹部は、円弧状に湾曲している。これにより、フレーム本体は、フレーム本体がベース部材の係止部がフレームの係合凹部内を摺動したときにしか着脱しない。以上により、パネルを取り付ける部品点数を減らすとともにその構造を簡単にし、パネルの取付施工状態における安全性の向上をより一層図ることができる。
【００１６】
第３の発明は、第１又は２の発明において、上記フレームは、直線状に延びる４本の分割フレームが矩形枠状に連結されたものであり、上記分割フレームの長さ方向の両端部には、嵌合凹部が形成され、上記分割フレームの嵌合凹部に嵌合可能な１対の嵌合部を有する連結部材が設けられ、相隣接する上記分割フレームは、該分割フレームの両端部が当接し、かつ上記嵌合凹部に上記連結部材の１対の嵌合部がそれぞれ嵌合されることで、互いに直交するように連結されていることを特徴とする。
【００１７】
第３の発明では、フレームを、４本の分割フレームが連結部材を介して矩形枠状に連結されているため、１対の分割フレームの組み合わせを変更することにより、フレームを所望の大きさにすることができる。
【００１８】
第４の発明は、第３の発明において、上記分割フレームは押出し成形材からなり、上記フレームの裏面全体に上記係合凹部が形成されていることを特徴とする。
【００１９】
第４の発明では、分割フレームの生産性向上及びコスト削減を図ることができる。
【００２０】
第５の発明は、第１〜４の発明のいずれか１つにおいて、上記機能パネル部は、有孔ボードであることを特徴とする。
【００２１】
第６の発明は、第１〜４の発明のいずれか１つにおいて、上記機能パネル部は、ホワイトボードであることを特徴とする。
【００２２】
第７の発明は、第１〜４の発明のいずれか１つにおいて、上記機能パネル部は、その表面がファブリック部材で被覆されたボードであることを特徴とする。
【００２３】
第５乃至第７の発明では、機能パネル部が具体化される。
【００２４】
第８の発明は、機能パネルの壁部取付構造に係り、第１〜７のいずれか１つに記載の機能パネルが建物の壁部に取り付けられていることを特徴とする。
【００２５】
第８の発明では、第１乃至７の発明の作用効果を奏する壁部取付構造を得ることができる。
【発明の効果】
【００２６】
以上に説明したように、本発明によれば、パネルを取り付ける部品点数を減らすとともにその構造を簡単にし、パネルの取付施工状態における安全性の向上を図ることができる。
【図面の簡単な説明】
【００２７】
【図１】図１は、本発明の実施形態１に係る機能パネルの壁部取付構造を示す正面図である。
【図２】図２は、図１のII−II線断面図である。
【図３】図３は、ベース部材の正面図である。
【図４】図４は、ベース部材の側面図である。
【図５】図５は、フレーム本体の正面図である。
【図６】図６は、フレーム本体の裏面図である。
【図７】図７は、分割フレームの正面図である。
【図８】図８は、分割フレームの側面図である。
【図９】図９は、連結部材の斜視図である。
【図１０】図１０は、本発明の実施形態２に係る機能パネルのベース部材の正面図であり、図３相当図である。
【発明を実施するための形態】
【００２８】
以下、本発明を実施するための形態を図面に基づいて説明する。以下の好ましい実施形態の説明は、本質的に例示に過ぎず、本発明、その適用物或いはその用途を制限することを意図するものではない。
【００２９】
＜実施形態１＞
（機能パネル及びその壁部取付構造）
図１及び図２は、機能パネルＰの壁部取付構造を示す。図１及び図２において、Ｗは建物の室内壁であり、室内壁Ｗの壁面Ｗ１（壁部）の上部に、予めハンガーフックＨが取り付けられている。このハンガーフックＨにより、機能パネルＰが壁面Ｗ１に取付施工される。具体的には、機能パネルＰは、ハンガーフックＨで取付施工された後述するベース部材１０により、壁面Ｗ１に取付施工される。
【００３０】
図２に示すように、予め建物の室内壁Ｗの壁面Ｗ１に取り付けられているハンガーフックＨは、特願２０１７−２５４５０８号に開示されたハンガーフックと同様のものであり、インサート部材Ｉと、フック部材Ｆと、を備えている。
【００３１】
インサート部材Ｉは、先端側（図２の後側）に形成され、予め室内壁Ｗに穿設された取付穴Ｗ２に対して螺合により取付固定するための雄ネジ１と、基端側（図２の前側）に形成され、フック部材Ｆと係合可能なネジ穴２（インサート係合穴部）と、を有する。インサート部材Ｉは、その基端面３（基端部）が室内壁Ｗの壁面Ｗ１に露出した状態で挿入されて取付固定されている。
【００３２】
なお、室内壁Ｗにおける取付穴Ｗ２を穿設する位置には、その内側に柱等の頑丈な部材が配置されていることが必要であり、インサート部材Ｉは、頑丈な部材にまで到達するように挿入される。これにより、ハンガーフックＨは、頑丈な柱等に強固に支持された状態で室内壁Ｗに取付固定される。
【００３３】
フック部材Ｆは、先端側に形成され、インサート部材Ｉのネジ穴２と螺合締結により係合可能なネジ部４（フック係合部）と、基端側にネジ部４に一体的に形成されたフック部５と、を有する。このフック部材Ｆは、ネジ部４のインサート部材Ｉのネジ穴２との係合によってインサート部材Ｉに一体的に取付可能になっている。
【００３４】
フック部５は、ネジ部４との接続部分において径方向に拡がったフランジ部６を有している。フランジ部６は、インサート部材Ｉの基端面３及びベース部材１０の後述するフック孔１３の孔径よりも大きな径で形成されている。
【００３５】
以上のようにして、インサート部材Ｉのネジ穴２にフック部材Ｆのネジ部４が係合したときに、フック部材Ｆとインサート部材Ｉとが一体になり、ハンガーフックＨが構成される。
【００３６】
機能パネルＰは、パネルを取り付ける部品としてのベース部材１０と、フレーム本体２０（パネル）とを備える。図１及び図２に示すように、機能パネルＰは、ベース部材１０によりフレーム本体２０が室内壁Ｗの壁面Ｗ１に取り付けられるように構成されている。
【００３７】
ベース部材１０は、壁面Ｗ１に取付施工されるものであり、具体的には、壁面Ｗ１にハンガーフックＨにより取付施工される。このベース部材１０は、略矩形板状の基部１１と、この基部１１の上部に一体に設けられた係止部１２と、を有する。ベース部材１０の材質としては、例えば金属材料、樹脂材料等が挙げられる。
【００３８】
ベース部材１０の基部１１は、壁面Ｗ１に取り付けられる部分であり、基部１１の裏面が壁面Ｗ１に接触した状態で、ハンガーフックＨにより壁面Ｗ１に取付固定される。そのため、図３に示すように、正面視で基部１１の略中間部には、フック部材Ｆのネジ部４が挿通可能かつフック部材Ｆのフランジ部６の外径よりも小さいフック孔１３が形成されている。このフック孔１３に挿通されたフック部材Ｆのネジ部４が、予め室内壁Ｗの取付穴Ｗ２に取付固定されているインサート部材Ｉのネジ穴２と螺合締結することにより、ベース部材１０が基部１１において壁面Ｗ１にハンガーフックＨにより取付固定される。換言すると、ベース部材１０は、基部１１において、インサート部材Ｉとフック部材Ｆとの間に挟み込まれて取付固定される。このとき、基部１１のフック孔１３の外周縁部とフック部材Ｆのフランジ部６とが当接することで、ベース部材１０の壁面Ｗ１への取付固定が確実になる。
【００３９】
なお、基部１１の大きさは、フレーム本体２０の大きさ、重量等に応じて決定すればよいが、例えば、長さ方向（図３では上下方向）の寸法が３５〜５５ｍｍ、幅方向（図３では左右水平方向）の寸法が１０〜３０ｍｍ、厚さが１〜５ｍｍである。また、フック孔１３の孔径は、フック部材Ｆのネジ部４のネジ径よりも大きく、かつフランジ部６の外径よりも小さくなるように決定すればよく、例えばφ５〜１５ｍｍである。
【００４０】
ベース部材１０の係止部１２は、後述するフレーム４０の係合凹部４４に係合可能な部分である。図２及び図４に示すように、係止部１２は、ベース部材１０の基部１１の壁面Ｗ１への取付状態（即ちベース部材１０の取付状態）で壁面Ｗ１から離れる方向（図２では前方）に斜め上向きに突出し、その突出方向の中間部で下側に膨らむように円弧状に湾曲している。換言すると、係止部１２は、壁面Ｗ１から離れるに連れて上向きに変化するように円弧状に湾曲している。このように、係止部１２は、ベース部材１０の取付状態で、基部１１の上部（上端部）から前方に突出して壁面Ｗ１側に曲率中心を持つように、側面視で下方に向かって凸の円弧部１４が形成されている。この円弧部１４の先端部１５は、基部１１の上端部よりも上方に位置している。また、先端部１５は、フレーム４０の係合凹部４４への係合を容易にするべく、断面Ｒ状に設けられている。
【００４１】
なお、係止部１２の大きさは、フレーム本体２０の大きさ、重量等に応じて決定すればよいが、例えば、突出長さが５〜１５ｍｍであり、厚さが２〜５ｍｍ、円弧部１４の曲率半径が５〜２０ｍｍである。
【００４２】
フレーム本体２０は、図５及び図６に示すように、機能パネル部３０と、その四周に枠組みされたフレーム４０と、を有する。
【００４３】
フレーム本体２０の機能パネル部３０は、例えば、有孔ボード、ホワイトボード、その表面がファブリック部材で被覆されたボード等で構成され、その四周がフレーム４０で保持される。機能パネル部３０の寸法としては、例えば、一辺の寸法が６００〜１０００ｍｍ、他辺の寸法が６００〜２０００ｍｍ、厚さが１〜１０ｍｍである。
【００４４】
フレーム本体２０のフレーム４０は、図１に示すように、直線状に延びる４本の分割フレーム４１が、連結部材５０を介して矩形枠状に連結されたものである。なお、分割フレーム４１（フレーム４０）は、押出し成形材からなる。連結部材５０は、射出成型材からなる。
【００４５】
分割フレーム４１は、図２及び図８に示すように、パネル保持部４２と、嵌合凹部４３と、係合凹部４４と、を有する。
【００４６】
パネル保持部４２は、機能パネル部３０を四周で保持するように、分割フレーム４１の長さ方向に沿ってパネル表面側（図２の前側）に設けられている。
【００４７】
嵌合凹部４３は、図７に示すように、分割フレーム４１の長さ方向の両端面が傾斜面４６に設けられ、その両端部に形成されている。具体的には、分割フレーム４１の前面（機能パネル部３０の取付面）には長さ方向に沿って開口する溝が形成され、この溝の長さ方向両端部が嵌合凹部４３になっている。なお、分割フレーム４１の内部に空洞が設けられ、その空洞の長さ方向両端部が嵌合凹部４３になっていてもよい。
【００４８】
図１及び９に示すように、この嵌合凹部４３に嵌合可能な１対の嵌合部５１が直角に連続するように、連結部材５０が平面視で略く字状に設けられている。これにより、相隣接する分割フレーム４１，４１は、その両端部が当接し、かつ嵌合凹部４３，４３に連結部材５０の１対の嵌合部５１，５１がそれぞれ嵌合されて、互いに直交するように連結されることで、四周枠組みされたフレーム４０が構成される。
【００４９】
このフレーム４０の四隅、即ち相隣接する分割フレーム４１，４１の連結部分は、連結部材５０の嵌合部５１，５１を介して螺合固定される。具体的には、図６及び図７に示すように、分割フレーム４１の長さ方向の両端部の裏面には、ビス孔４５，４５がそれぞれ形成されている。一方、図１及び９に示すように、連結部材５０の嵌合部５１，５１には、相隣接する分割フレーム４１，４１が連結部材５０を介して連結された状態（以下「分割フレーム４１の連結状態」で、分割フレーム４１の各ビス孔４５，４５に対応する位置に、ビス穴５２，５２がそれぞれ形成されている。これにより、分割フレーム４１の連結状態において、分割フレーム４１のビス孔４５，４５に挿通されたビス（図示省略）が嵌合部５１，５１（連結部材５０）のビス穴５２，５２とそれぞれ螺合締結されることにより、相隣接する分割フレーム４１が互いに連結固定される。
【００５０】
なお、分割フレーム４１のビス孔４５の孔径及び連結部材５０のビス穴５２の穴径は、使用するビスの種類に応じて決定すればよいが、例えばφ３〜５である。使用するビスは、例えばＭ３〜Ｍ５である。
【００５１】
係合凹部４４は、フレーム４０（分割フレーム４１）の裏面全体に設けられ、ベース部材１０の係止部１２に係合可能に開口する。図２及び図８に示すように、この係合凹部４４は、係止部１２の形状に対応して円弧状に湾曲している。具体的には、係合凹部４４は、開口から奥側（図２で前側）に向かって上向きに変化するように係止部１２の形状に対応して円弧状に湾曲している。これにより、係合凹部４４に係止部１２が係合されることにより、フレーム本体２０がベース部材１０により壁面Ｗ１に取り付けられるように構成されている。
【００５２】
なお、図１及び図７に示すように、分割フレーム４１の長さ方向の外側端部は、傾斜面４６の一部が分断されてその長さ方向に直交する直交面４７に設けられている。一方、図１及び図９に示すように、連結部材５０の嵌合部５１，５１が直角に連続する直角部には、分割フレーム４１の連結状態において、相隣接する直交面４７にそれぞれ対応するように平面視で扇形状に形成され、かつ分割フレーム４１の厚さと同等の長さになるようにその厚さ方向両端に向かって突出する突出部５３が形成されている。このことで、分割フレーム４１が四周枠組みされたフレーム４０の四隅はＲ状になっている。
【００５３】
分割フレーム４１の形状、寸法は、保持する機能パネル部３０の形状、寸法等に応じて決定すればよい。また、連結部材５０の形状、寸法は、分割フレーム４１の形状、寸法等に応じて決定すればよい。
【００５４】
（機能パネルの壁部取付作業手順）
次に、図１及び図２を参照しながら、予め室内壁Ｗの壁面Ｗ１に取り付けられているハンガーフックＨにより機能パネルＰを壁面Ｗ１に取り付ける作業手順を以下に説明する。
【００５５】
まず、準備作業として、フレーム本体２０を組み付ける。具体的には、相隣接する分割フレーム４１を、連結部材５０を介して螺合により連結固定させてフレーム４０を構成するとともに、このフレーム４０に例えば有孔ボード（機能パネル部３０）を保持させる。
【００５６】
次いで、ハンガーフックＨのフック部材Ｆをインサート部材Ｉから取り外し、フック部材Ｆをベース部材１０のフック孔１３に挿通させてインサート部材Ｉのネジ穴２に螺合締結する。これにより、ベース部材１０が、その基部１１においてインサート部材Ｉとフック部材Ｆとの間に挟み込まれて壁面Ｗ１に取付固定される。なお、このベース部材１０の壁面Ｗ１への取付固定の作業は、上記準備作業の前に行なってもよい。
【００５７】
最後に、フレーム本体２０をベース部材１０に取り付ける。具体的には、フレーム本体２０の下部が壁面Ｗ１に対して離れるようにフレーム本体２０を少し傾けた状態で、その裏面にある係合凹部４４を、ベース部材１０の係止部１２における先端部１５に引っ掛ける。該引っ掛け状態で、フレーム本体２０の下部を壁面Ｗ１に徐々に近付けていく。これにより、先端部１５が、係合凹部４４の表面を摺動して係合凹部４４の奥に入り込み、係合凹部４４に係止部１２が係合される。
【００５８】
以上により、ハンガーフックＨで取付施工されたベース部材１０によりフレーム本体２０を取り付けることで、機能パネルＰを壁面Ｗ１に取付施工することができる。なお、フレーム本体２０の大きさ、重量等に応じて、複数のベース部材１０によりフレーム本体２０を取り付けることもできる。また、機能パネルＰを取り外すときは、上記とは逆の作業手順で行なえばよい。
【００５９】
（効果）
以上のように構成される機能パネルＰは、フレーム本体２０（パネル）がベース部材１０により室内壁Ｗの壁面Ｗ１に取り付けられるように構成されているため、パネルを取り付ける部品がベース部材１０だけである。また、ベース部材１０は、基部１１と、基部１１の上部に一体に設けられた係止部１２とを有するだけであるため、その構造が簡単である。さらに、係止部１２は、その取付状態で壁面Ｗ１から離れる方向に斜め上向きに突出し、その突出方向の中間部で下側に膨らむように円弧状に湾曲しているため、フレーム本体２０は、上下動に前後動が複合した動きがあり、かつ係止部１２がフレーム４０の係合凹部４４内を摺動したときにしか着脱せず、意図しない下側から上側への突き上げがあったときに脱落し難い。以上により、パネルを取り付ける部品点数を減らすとともにその構造を簡単にし、パネルの取付施工状態における安全性の向上を図ることができる。
【００６０】
フレーム４０を、４本の分割フレーム４１が連結部材５０を介して矩形枠状に連結されているため、１対の分割フレーム４１，４１の組み合わせを変更することにより、フレーム４０を所望の大きさにすることができる。また、分割フレーム４１は、押出し成形材からなるため、分割フレーム４１の生産性向上及びコスト削減を図ることができる。
【００６１】
ハンガーフックＨにより、ベース部材１０がその基部１１においてインサート部材Ｉとフック部材Ｆとの間に挟み込まれて取付固定されているため、機能パネルＰ（即ちベース部材１０及びフレーム本体２０）を外した後に、予め壁面Ｗ１に埋め込まれているインサート部材Ｉにフック部材Ｆを着脱することで、建物の美観を損なうことなく保持できる。
【００６２】
＜実施形態２＞
図１０は、本発明の実施形態２を示す。本実施形態では、ベース部材１０の構造が異なっているが、その他の点については、実施形態１と同様の構成である。そこで、以下の説明では、実施形態１の構成要素と同様の構成要素については、同じ符号を付し、重複説明を省略する場合がある。
【００６３】
本実施形態では、ベース部材１０は、予め室内壁Ｗの壁面Ｗ１に取り付けられているハンガーフックＨの位置やフレーム４０（係合凹部４４）の長さ方向の寸法等に応じて、左右水平方向に延びる横長の細長い形状に設けられている。また、ベース部材１０の基部１１には、該ハンガーフックＨの位置に応じて、２つのフック孔１３，１３が互いに間隔をあけて形成されている。また、各フック孔１３は、ベース部材１０（基部１１）の長さ方向（図１０では左右水平方向）に延びる長孔になっている。ベース部材１０の他の構成は、実施形態１と同様である。
【００６４】
なお、基部１１の大きさは、フレーム本体２０の大きさ、重量等に応じて決定すればよいが、例えば、長さ方向（図１０では左右水平方向）の寸法が３００〜６００ｍｍ、幅方向（図１０では上下方向）の寸法が３０〜１００ｍｍ、厚さが１〜５ｍｍである。また、各フック孔１３の大きさは、例えば、長さ方向の寸法が４０〜６０ｍｍ、幅方向の寸法が５〜１５ｍｍである。
【００６５】
従って、本実施形態によれば、実施形態１と同様の効果が得られる。また、本実施形態によれば、ハンガーフックＨの位置に応じて、２つのフック孔１３，１３がベース部材１０の基部１１に形成されているため、２つのハンガーフックＨにより機能パネルＰを壁面Ｗ１に取付施工する場合に、１つのベース部材１０によりフレーム本体２０を取り付けることができ、パネルを取り付ける部品点数をより一層減らすことができる。
【００６６】
なお、フック孔１３の数は、ベース部材１０（基部１１）の長さ方向の寸法（ハンガーフックＨの位置）やフレーム本体２０の大きさ、重量等に応じて決定すればよい。また、各フック孔１３は、ベース部材１０の幅方向に延びる長孔であってもよく、上記実施形態１と同様の円孔であってもよい。
【００６７】
＜その他の実施形態＞
上記各実施形態では、ベース部材１０の係止部１２は、その突出方向の中間部で下側に膨らむように円弧状に湾曲しているが、これに限定されず、直線状に斜め上向きに突出していてもよい。この場合であっても、フレーム本体２０は、上下動に前後動が複合した動きがあるときにしか着脱せず、意図しない下側から上側への突き上げがあったときに脱落し難い。但し、パネルの取付施工状態における安全性の向上を図る観点から、係止部１２は、その突出方向の中間部で下側に膨らむように円弧状に湾曲していることが好ましい。
【００６８】
上記各実施形態では、フレーム４０の係合凹部４４は、フレーム４０の裏面全体に設けられているが、これに限定されず、少なくともフレーム４０の上枠部の裏面に設けられていればよい。
【００６９】
上記各実施形態では、分割フレーム４１はその長さ方向の両端面が傾斜面４６に設けられるとともに、連結部材５０は平面視で略く字状に設けられているが、これに限定されない。例えば、分割フレームは略矩形状であり、その長さ方向両端部に、一方は長さ方向に開口するが、他方は幅方向に開口する嵌合凹部がそれぞれ設けられるとともに、連結部材は略矩形状であり、その長さ方向両端部に該嵌合凹部に嵌合可能な１対の嵌合部が設けられていてもよい。
【００７０】
上記各実施形態では、フレーム４０は、直線状に延びる４本の分割フレーム４１が矩形枠状に連結されたものであるが、これに限定されず、矩形枠状に連続する１つのフレームであってもよい。また、フレーム４０は、略円形枠状であってもよい。
【産業上の利用可能性】
【００７１】
本発明は、パネルを取り付ける部品点数を減らすとともにその構造を簡単にし、その取付施工状態における安全性の向上を図ることができるため、産業上の利用可能性が高い。
【符号の説明】
【００７２】
Ｗ        室内壁
Ｗ１      壁面
Ｗ２      取付穴
Ｈ        ハンガーフック
Ｉ        インサート部材
Ｆ        フック部材
Ｐ        機能パネル
Ｒ        手摺り
２        ネジ穴（インサート係合穴部）
３        基端面（基端部）
４        ネジ部（フック係合部）
５        フック部
１０      ベース部材 
１１      基部 
１２      係止部 
２０      フレーム本体 
３０      機能パネル部 
４０      フレーム 
４１      分割フレーム 
４２      パネル保持部 
４３      嵌合凹部
４４      係合凹部 
４５      ビス孔 
４６      傾斜面 
５０      連結部材 
５１      嵌合部 
５２      ビス穴 
【手続補正２】
【補正対象書類名】特許請求の範囲
【補正対象項目名】全文
【補正方法】変更
【補正の内容】
【特許請求の範囲】
【請求項１】
建物の壁部に、予め該壁部に取り付けられているハンガーフックにより取付施工される機能パネルであって、
上記ハンガーフックは、上記壁部の取付穴に基端部が該壁部の表面に露出した状態で挿入されて取付固定され、かつ基端面に有底状のインサート係合穴部が設けられたインサート部材と、
先端側に上記インサート部材のインサート係合穴部と係合可能なフック係合部が設けられている一方、基端側にフック部が設けられ、該フック係合部の該インサート係合穴部との係合によって該インサート部材に一体的に取付可能なフック部材と、を備え、
上記機能パネルは、上記壁部に取り付けられる基部と、該基部の上部に一体に設けられ、該基部の該壁部への取付状態で該壁部から離れる方向に斜め上向きに突出する係止部とを有するベース部材と、
機能パネル部と、該機能パネル部の四周に該機能パネル部を保持するように設けられ、少なくとも上枠部の裏面に上記ベース部材の係止部に係合可能な係合凹部が開口するフレームとを有するフレーム本体と、を備え、
上記ベース部材の基部は、上記インサート部材と上記フック部材との間に挟み込まれて取付固定されており、
上記フレームの係合凹部に上記ベース部材の係止部が係合されることで、該ベース部材により上記フレーム本体が上記壁部に取り付けられるように構成されていることを特徴とする機能パネル。
【請求項２】
建物の壁部に取付施工される機能パネルであって、
上記壁部に取り付けられる基部と、該基部の上部に一体に設けられ、該基部の該壁部への取付状態で該壁部から離れる方向に斜め上向きに突出し、且つ突出方向の中間部で下側に膨らむように円弧状に湾曲する係止部とを有するベース部材と、
機能パネル部と、該機能パネル部の四周に該機能パネル部を保持するように設けられ、少なくとも上枠部の裏面に上記ベース部材の係止部の形状に対応して円弧状に湾曲し、該係止部に係合可能な係合凹部が開口するフレームとを有するフレーム本体と、を備え、
上記フレームの係合凹部に上記ベース部材の係止部が係合されることで、該ベース部材により上記フレーム本体が上記壁部に取り付けられるように構成されていることを特徴とする機能パネル。
【請求項３】
請求項１又は２において、
上記フレームは、直線状に延びる４本の分割フレームが矩形枠状に連結されたものであり、
上記分割フレームの長さ方向の両端部には、嵌合凹部が形成され、
上記分割フレームの嵌合凹部に嵌合可能な１対の嵌合部を有する連結部材が設けられ、
相隣接する上記分割フレームは、該分割フレームの両端部が当接し、かつ上記嵌合凹部に上記連結部材の１対の嵌合部がそれぞれ嵌合されることで、互いに直交するように連結されていることを特徴とする機能パネル。
【請求項４】
請求項３において、
上記分割フレームは押出し成形材からなり、
上記フレームの裏面全体に上記係合凹部が形成されていることを特徴とする機能パネル。
【請求項５】
請求項１〜４のいずれか１つにおいて、
上記機能パネル部は、有孔ボードであることを特徴とする機能パネル。
【請求項６】
請求項１〜４のいずれか１つにおいて、
上記機能パネル部は、ホワイトボードであることを特徴とする機能パネル。
【請求項７】
請求項１〜４のいずれか１つにおいて、
上記機能パネル部は、その表面がファブリック部材で被覆されたボードであることを特徴とする機能パネル。
【請求項８】
請求項１〜７のいずれか１つに記載の機能パネルが建物の壁部に取り付けられていることを特徴とする機能パネルの壁部取付構造。